(57)【要約】【課題】  従来、包装袋の注出部材の開栓時に注出口内の内栓を開栓するものは、開栓時に注出口に手が触れる課題がある。また、キャップの回転により開栓をするものは搬送時等にキャップが回転すると栓が取れてしまう課題がある。また、注出口の先端部のねじ切り用の突起をコ字型のガード部材で保護したものでは、注出口が露呈すると共に製作が面倒である課題がある。【解決手段】  本発明は、包装袋に熱融着される基部１、先端部２が密封部材３に密封された筒部４、密封部材３に上端部を連結され筒部４の外周を覆う蓋部材２０とからなる注出口部材１０において、前記蓋部材２０に前記密封部材３に上端部を連結した二片一対の分割開放片部６を設けて開栓を可能にする一方、分割開放片部６と前記筒部４と間に、蓋部材２０の回転と分割開放片部６の分割開放を阻止する回転係止機構３０を分割開放可能に設けてなる包装袋の注出口部材を提供しようとするものである。【選択図】      図１
2010018319.tif 000002
【特許請求の範囲】
【請求項１】
包装袋に熱融着される基部、先端部が密封部材に密封された筒部、密封部材に上端部を連結され筒部の外周を覆う蓋部材とからなる注出口部材において、前記蓋部材が前記密着部材と一体な部分に上端部を連結した状態で開放可能に分割する二片一対の分割開放片部を具備し、前記閉じ状態の分割開放片部と前記筒部と間に蓋部材の回転を阻止すると共に分割開放片部を分割開放可能に係止する回転係止機構を設けてなる包装袋の注出口部材。
【請求項２】
請求項１に記載の包装袋の注出口部材において、蓋部材の二片一対の分割開放片部が蓋部材の一部からなる包装袋の注出口部材。
【請求項３】
請求項１又は２に記載の包装袋の注出口部材において、蓋部材が二片一対の分割開放片部からなる包装袋の注出口部材。
【請求項４】
請求項１乃至３のいずれかに記載の包装袋の注出口部材において、蓋部材の二片一対の分割開放片部をほぼ水平に開放した状態で、筒部の左右側面と分割開放片部の内側を型取る左右の横型と、筒部の内筒部と連結部を含んで密封部材及び分割開放片部の外側を型取る上下の縦型とによってプラスチック成形加工してなる包装袋の注出口部材。
【請求項５】
請求項１乃至４のいずれかに記載の包装袋の注出口部材において、蓋部材の二片一対の分割開放片部の内側形状が、密封部材との連結部側から開放端部側まで、長手方向を横断する断面が円形、楕円形、三角形、多角形、曲線形、又はそれらの組み合わせからなる形状からなる包装袋の注出口部材。
【請求項６】
請求項４又は５に記載の包装袋の注出口部材において、蓋部材の二片一対の分割開放片部が、密封部材との連結部側から開放端部側までの長手方向に沿ってほぼ同一内径を有する包装袋の注出口部材。
【請求項７】
請求項４又は５に記載の包装袋の注出口部材において、蓋部材の二片一対の分割開放片部が、密封部材との連結部側から開放端部側までの長手方向に沿って増大する内径を有する包装袋の注出口部材。
【請求項８】
請求項１乃至７のいずれかに記載の包装袋の注出口部材において、蓋部材の二片一対の分割開放片部が、開放端部側に分割開放用の取っ手部を具備する包装袋の注出口部材。
【請求項９】
請求項１乃至８のいずれかに記載の包装袋の注出口部材において、回転係止機構が、互いに分割開放可能に係合する、分割開放片部に設けた凹部と、筒部に設けた凸部とからなる包装袋の注出口部材。
【請求項１０】
請求項１乃至９のいずれかに記載の包装袋の注出口部材を具備する包装袋。
【発明の詳細な説明】
【技術分野】
【０００１】
本発明は、包装袋に収容した流動液体を注出する注出口部材に関する。
【背景技術】
【０００２】
従来より包装袋に熱融着される注出口部材としては、包装袋に熱融着される基部、ネジ部が形成された筒部及び該筒部に螺合する蓋材とを有するものが使用されている（特許文献１参照。）。
【０００３】
また、注出口の先端部にねじ切り用の突起を設けると共に、その突起に嵌合するキャップを注出口を構成する筒部全体に被せて設け、キャップを回転させて突起をねじ切るものが提案されている（特許文献２参照。）。
【０００４】
また、注出口の先端部にねじ切り用の突起を設けると共に、その突起にコ字型のガード部材を設けて、ガード部材の二股の基部を注出口部材の基部に破断可能に連結して突起のねじ切りを防止したものが提案されている（特許文献３参照。）。
【０００５】
【特許文献１】特開２０００−１４２７６９号公報
【特許文献２】特開２００６−６２７５２号公報
【特許文献３】特開２００６−３４１９０８号公報
【発明の開示】
【発明が解決しようとする課題】
【０００６】
特許文献１の場合、注出口内において取っ手付の内栓を引っ張って開栓することから、開栓が面倒であるのみならず注出口に手が触れる衛生上の課題がある。
【０００７】
特許文献２の場合、搬送時等にキャップが回転すると突起が簡単に取れてしまう恐れがあると共に、加工が難しい課題がある。
【０００８】
特許文献３の場合、注出口が露呈していると共に構造が複雑で製作が面倒である課題がある。
【課題を解決するための手段】
【０００９】
そこで、本発明は、請求項１に記載のように、包装袋に熱融着される基部、先端部が密封部材に密封された筒部、密封部材に上端部を連結され筒部の外周を覆う蓋部材とからなる注出口部材において、前記蓋部材が前記密着部材と一体な部分に上端部を連結した状態で開放可能に分割する二片一対の分割開放片部を具備し、前記閉じ状態の分割開放片部と前記筒部と間に蓋部材の回転を阻止すると共に分割開放片部を分割開放可能に係止する回転係止機構を設けてなる包装袋の注出口部材を提供しようとするものである。なお、二片一対の分割開放片部の上端部が連結した前記密着部材と一体な部分には、密着部材のみならず該密着部材と一体な蓋部材も含まれるものである。
【００１０】
また、本発明は、請求項２に記載のように、請求項１に記載の包装袋の注出口部材において、蓋部材の二片一対の分割開放片部が蓋部材の一部からなる包装袋の注出口部材を提供しようとするものである。
【００１１】
また、本発明は、請求項３に記載のように、請求項１又は２に記載の包装袋の注出口部材において、蓋部材が二片一対の分割開放片部からなる包装袋の注出口部材を提供しようとするものである。
【００１２】
また、本発明は、請求項４に記載のように、請求項１乃至３のいずれかに記載の包装袋の注出口部材において、蓋部材の二片一対の分割開放片部をほぼ水平に開放した状態で、筒部の左右側面と分割開放片部の内側を型取る左右の横型と、筒部の内筒部と連結部を含んで密封部材及び分割開放片部の外側を型取る上下の縦型とによってプラスチック成形加工してなる包装袋の注出口部材を提供しようとするものである。
【００１３】
また、本発明は、請求項５に記載のように、請求項１乃至４のいずれかに記載の包装袋の注出口部材において、蓋部材の二片一対の分割開放片部の内側形状が、密封部材との連結部側から開放端部側まで、長手方向を横断する断面が円形、楕円形、三角形、多角形、曲線形、又はそれらの組み合わせからなる形状からなる包装袋の注出口部材を提供しようとするものである。
【００１４】
また、本発明は、請求項６に記載のように、請求項４又は５に記載の包装袋の注出口部材において、蓋部材の二片一対の分割開放片部が、密封部材との連結部側から開放端部側までの長手方向に沿ってほぼ同一内径を有する包装袋の注出口部材を提供しようとするものである。
【００１５】
また、本発明は、請求項７に記載のように、請求項４又は５に記載の包装袋の注出口部材において、蓋部材の二片一対の分割開放片部が、密封部材との連結部側から開放端部側までの長手方向に沿って増大する内径を有する包装袋の注出口部材を提供しようとするものである。
【００１６】
また、本発明は、請求項８に記載のように、請求項１乃至７のいずれかに記載の包装袋の注出口部材において、蓋部材の二片一対の分割開放片部が、開放端部側に分割開放用の取っ手部を具備する包装袋の注出口部材を提供しようとするものである。
【００１７】
また、本発明は、請求項９に記載のように、請求項１乃至８のいずれかに記載の包装袋の注出口部材において、回転係止機構が、互いに分割開放可能に係合する、分割開放片部に設けた凹部と、筒部に設けた凸部とからなる包装袋の注出口部材を提供しようとするものである。
【００１８】
また、本発明は、請求項１０に記載のように、請求項１乃至９のいずれかに記載の包装袋の注出口部材を具備する包装袋を提供しようとするものである。
【発明の効果】
【００１９】
本発明に係る包装袋のは、請求項１に記載のように、包装袋に熱融着される基部、先端部が密封部材に密封された筒部、密封部材に上端部を連結され筒部の外周を覆う蓋部材とからなる注出口部材において、前記蓋部材が前記密着部材と一体な部分に上端部を連結した状態で開放可能に分割する二片一対の分割開放片部を具備し、前記閉じ状態の分割開放片部と前記筒部と間に蓋部材の回転を阻止すると共に分割開放片部を分割開放可能に係止する回転係止機構を設けてなる構成を有することにより、筒部に装着した蓋部材の分割開放片部が閉じた状態では、蓋部材は筒部に回転係止機構によって係止されているから、開き方向及び回転方向において蓋部材は筒部に固定されて密封部材が搬送中などに不用意に開放する恐れはなく、また、筒部に回転係止機構によって係止されていた蓋部材の分割開放片部を、開き方向に分離開放することによって、開き方向に開放した分離開放片を持って容易に回転操作することができるから、筒部に固定されていた密封部材は筒部に触れることなく容易に回転して切り取ることができる効果がある。
【００２０】
また、本発明は、請求項２に記載のように、請求項１に記載の包装袋の注出口部材において、蓋部材の二片一対の分割開放片部が蓋部材の一部からなる構成を有することにより、筒部を覆う蓋部材の一部に設けた分割開放片部によって回転係止機構を構成できると共に、分割開放片部を開放して回転操作し、密封部材を除去することができる効果がある。
【００２１】
また、本発明は、請求項３に記載のように、請求項１又は２に記載の包装袋の注出口部材において、蓋部材が二片一対の分割開放片部からなる構成を有することにより、蓋部材の全体を分割開放片部として分割開放することができる効果がある。
【００２２】
また、本発明は、請求項４に記載のように、請求項１乃至３のいずれかに記載の包装袋の注出口部材において、蓋部材の二片一対の分割開放片部をほぼ水平に開放した状態で、筒部の左右側面と分割開放片部の内側を型取る左右の横型と、筒部の内筒部と連結部を含んで密封部材及び分割開放片部の外側を型取る上下の縦型とによってプラスチック成形加工してなる構成を有することにより、注出口部材をプラスチックの一体成形加工により容易に製作することができる効果がある。
【００２３】
また、本発明は、請求項５に記載のように、請求項１乃至４のいずれかに記載の包装袋の注出口部材において、蓋部材の二片一対の分割開放片部の内側形状が、密封部材との連結部側から開放端部側まで、長手方向を横断する断面が円形、楕円形、三角形、多角形、曲線形、又はそれらの組み合わせからなる形状からなる構成を有することにより、分割開放片部の内側形状を変えることによって蓋部材の内側形状を種々に設計変更することができる。
【００２４】
また、本発明は、請求項６に記載のように、請求項４又は５に記載の包装袋の注出口部材において、蓋部材の二片一対の分割開放片部が、密封部材との連結部側から開放端部側までの長手方向に沿ってほぼ同一内径を有する構成を有することにより、分割開放片部の内側を形成する横型の型抜きができることにより、同一内径の分割開放片部をプラスチック成形加工により容易に製作することができる効果がある。
【００２５】
また、本発明は、請求項７に記載のように、請求項４又は５に記載の包装袋の注出口部材において、蓋部材の二片一対の分割開放片部が、密封部材との連結部側から開放端部側までの長手方向に沿って増大する内径を有する構成を有することにより、分割開放片部の内側を形成する横型の型抜きが容易にできることにより、開放端部に向かって内径が増大する分割開放片部をプラスチック成形加工により容易に製作することができる効果がある。
【００２６】
また、本発明は、請求項８に記載のように、請求項１乃至７のいずれかに記載の包装袋の注出口部材において、蓋部材の二片一対の分割開放片部が、開放端部側に分割開放用の取っ手部を具備する構成を有することにより、取っ手部によって分割開放片部を容易に分割開放することができる効果がある。
【００２７】
また、本発明は、請求項９に記載のように、請求項１乃至８のいずれかに記載の包装袋の注出口部材において、回転係止機構が、互いに分割開放可能に係合する、分割開放片部に設けた凹部と、筒部に設けた凸部とからなる構成を有することにより、回転係止機構を容易に構成することができると共に、係止及び分割開放を確実に行うことができる効果がある。
【００２８】
また、本発明は、請求項１０に記載のように、請求項１乃至９のいずれかに記載の包装袋の注出口部材を具備する包装袋を提供することができる効果がある。
【発明を実施するための最良の形態】
【００２９】
図示する実施例において、本発明に係る包装袋の注出口部材１０は、包装袋に熱融着される基部１、先端部２が密封部材３に密封された筒部４、密封部材３に上端部を連結部５で連結され筒部４の外周を覆う蓋部材６とからなる。上記注出口部材１０において、前記蓋部材２０が前記密封部材３に上端部を連結した状態で開放可能に分割する二片一対の分割開放片部６を具備し、前記閉じ状態の分割開放片部６と前記筒部４と間に蓋部材２０の回転を阻止すると共に分割開放片部６を分割開放可能に係止する回転係止機構３０を設けてなる構成を有する。
【００３０】
基部１には、図７に記載のように、包装袋４０の注出口部４１に溶着したときに注出口部４１の頂板となる頂板部１ａが水平方向に張り出して設けてあると共に、その上方に同一形状からなる蓋受枠部１ｃがスペース筒部１ｂを介して設けてある。なお、図７において、４２は袋吊り下げ孔である。
【００３１】
密封部材３は、図２又は図４に記載の如く、長方形状の連結片部３ａと筒部４の先端部２を覆う蓋片部３ｂとからなる。連結部５は折曲自在な長板状のヒンジ部材からなり、密封部材３の横側に折曲自在に蓋部材２０を構成する二片一対の分割開放片部６を連結し、分割開放片部６を水平方向に開放可能に連結してある。なお、筒部４の先端部２の下側には輸液管を確実に連結するための係止突起７，８等が設けてある。
【００３２】
分割開放片部６は、図示の実施例の場合、図４に記載のようにほぼ楕円形状の蓋部材２０を長径に沿った分割線部６ａで２分割して設けてあり、二片一対の分割開放片部６が蓋部材２０の全体を形成する構成に設けてある。
【００３３】
これに対して、図８及び図９に記載の実施例のように、分割開放片部６を、蓋部材２０の一部を分割線部６ａにより分割して設けてあり、二片一対の分割開放片部６が蓋部材２０の一部を形成する構成に設けてある。また、分割開放片部６の開放端部側には、分割開放用の取っ手部６ｂが設けてあり、閉じ状態から連結部５を中心に分割開放が容易にできるように構成してある。
【００３４】
なお、図では省略したが、二片一対の分割開放片部６が蓋部材２０の一部を形成する構成において、分割開放片部６の上端部が前記密着部材３と一体な蓋部材２０にヒンジ状に連結し、蓋部材２０に対して該蓋部材２０の一部をなす分割開放片部６が開閉可能に連結する構成も含まれるものである。
【００３５】
また、閉じた分割開放片部６の接合部分となる分割線部６ａにおいては、閉じ状態を確実にするために互いに分割開放可能に係合する接合面部を設けることができる。接合面部としては、従来公知の互いに分割開放可能に係合するＬ型溝部や凹凸溝部から構成することが可能である。
【００３６】
回転係止機構３０は、閉じ状態の分割開放片部６と筒部４と間に、分割開放片部６を簡単には分割開放しないように係止すると共に、指で開放することができる係止力で分割開放可能な構成で設けてある。図示の実施例では、互いに分割開放可能に係合する、分割開放片部６に設けた孔からなる凹部３１と、該凹部３１に嵌合する筒部４に設けた凸部３２とからなるが、互いに弾性的に着脱可能に嵌合する従来公知の凹凸部からなるスナップや掛け止め機構、或いは、面で着脱可能に接触する面接着剤や面ファスナーで構成することも可能である。
【００３７】
上記の構成により、筒部４に装着した蓋部材２０の分割開放片部６が閉じた状態では、蓋部材２０は筒部４に回転係止機構３０によって係止されているから、開き方向及び回転方向において蓋部材２０は筒部４に固定されて密封部材３が搬送中などに不用意に開放する恐れはなくなる。
【００３８】
また、筒部４に回転係止機構３０によって係止されていた蓋部材２０の分割開放片部６を、開き方向に分離開放することによって、開き方向に開放した分離開放片６を持って容易に回転操作することができるから、筒部４に固定されていた密封部材３は筒部４に触れることなく容易に回転して切り取ることができるのである。
【００３９】
上記の構成からなる本願発明に係る包装袋の注出口部材１０は、図５及び図６に記載の如く、蓋部材２０の二片一対の分割開放片部６をほぼ水平に開放した状態で、筒部４の左右側面と分割開放片部６の内側を型取る左右の横型５１と、筒部４の内筒部９と連結部５を含んで密封部材３及び分割開放片部６の外側を型取る上下の縦型５２，５３とからなる成形型５０によって一体にプラスチック射出成形加工することができる。５４は固定型枠である。
【００４０】
横型５１は左右対称で、成型時には、図５に記載のように閉じた状態で射出成形し、離型できるまでプラスチックが冷却して固化した状態で、図６に記載のように左右にスライドして、筒部４の外側と分割開放片部６の内側部分を成形することができる。５１ａ、５１ｂは分割開放片部６の内側成形型部、５１ｃは蓋片部３ｂと連結部５の下側の成形型部、５１ｄは筒部４の外周成形型部、５１ｅは回転係止機構３０の凸部３２の成形型部、５１ｆは基部１の成形型部である。
【００４１】
上縦型部５２は、図５の成型時には横型５１の上方にあって、密封部材３０と分割開放部６の上側を成形して、固化後に図６に記載のように、上方に移動する。５２ａは分割開放部６の上側部分を成形する成形型部で、回転係止機構３０の孔状の凹部３２を成形する突起状の成形型部５２ｂを具備し、中央部に密封部材３と連結部５の上側を成形する成形型部５２ｃを設けてある。
【００４２】
下縦型５３は、筒部４の内側を成形する中子からなり、型開時には図６に記載のように、下方にスライドして固定型枠５４上に本発明に係る注出口部材１０を離型する状態で成形が完了する。なお、図５，図６の成形型では、取っ手部の構成については省略してある。
【００４３】
上記の図６に記載の一体射出成形加工において、型開きの順序は、先ず、左右の横型５１を左右にスライドして開き、次いで上縦型５２を上方に移動させてから、下縦型５３を下方に移動して、下端部を固定型枠５４上に支持された注出口部材１０を抜き出すこととなる。
【００４４】
このことから、本発明に係る包装袋の注出口部材６は、蓋部材２０の二片一対の分割開放片部６の内側形状が横型５１の型抜きが可能な形状からなることとなり、分割開放片部６の内側形状は、密封部材３との連結部５側から開放端部側まで、その長手方向を横断する断面が円形、楕円形、三角形、多角形、曲線形、又はそれらの組み合わせからなる形状から構成することができる。分割開放片部６は、密封部材３との連結部５側から開放端部側までの長手方向に沿ってほぼ同一内径を有する形状にすることができることは勿論であるが、その長手方向に沿って増大する内径を有する形状にすることもでき、段差をもって増大する内径にすることも勿論可能である。
【００４５】
なお、分割開放片部６の上側の形状は、上縦型５２の離型可能な形状であれば良いから、蓋部材２０の外側形状として分割開放片部６を自由に設計することができることとなる。
【図面の簡単な説明】
【００４６】
【図１】本発明に係る注出口部材の一実施例の一使用態様を示す概略縦断正面図。
【図２】その概略平面図。
【図３】その他の使用態様を示す概略側面図。
【図４】図３の概略平面図。
【図５】注出口部材の一実施例の成型時の成形型を示す概略縦断正面図。
【図６】その成形型の型開時の状態を示す概略縦断正面図。
【図７】その実施例の一実施態様を示す概略説明図。
【図８】注出口部材の他の実施例を示す概略縦断正面図。
【図９】その概略平面図。
【符号の説明】
【００４７】
１    基部
１ａ  頂板部
１ｂ  スペース筒部
１ｃ  蓋受枠部
２    先端部
３    密封部材
３ａ  連結片部
３ｂ  蓋片部
４    筒部
５    連結部
６    分割開放片部
６ａ  分割線部
６ｂ  取っ手部
７    係止突起
８    係止突起
１０  注出口部材
２０  蓋部材
３０  回転係止機構
３１    凹部
３２    凸部
４０  包装袋
４１  注出口部
４２  袋吊り下げ孔
５０  成形型
５１  横型
５２  上縦型
５３  下縦型
【図１】
2010018319.tif 000003
【図２】
2010018319.tif 000004
【図３】
2010018319.tif 000005
【図４】
2010018319.tif 000006
【図５】
2010018319.tif 000007
【図６】
2010018319.tif 000008
【図７】
2010018319.tif 000009
【図８】
2010018319.tif 000010
【図９】
2010018319.tif 000011